(57)【要約】【課題】かご操作盤を外すことなく、かご内からかご内機器のデータ調整を行う。【解決手段】かご操作盤制御装置５に伝送制御部５１及びかご機器用保守端末３が着脱可能に接続される携帯型の保守端末インタフェース５２を設け、伝送制御部５１がかご機器用保守端末３から保守端末インタフェース５２を通して音量データを受信すると、音量データに基づいて音量データ格納メモリ５３の記憶済みの音量データを変更し、また、ドア制御装置４としては、かご操作盤制御装置５とデータの受け渡しを行う伝送制御部４１と、ドア開閉制御に関するデータを格納する装置固有データ格納メモリ４３と、モータ制御処理部４２とを設け、モータ制御処理部４２は、伝送制御部４１から受け取るデータに基づいてドアモータ４４を開閉駆動したり、ドア調整データに基づいて装置固有データ格納メモリ４３のドア開閉制御データの変更処理を行うエレベータの制御装置である。【選択図】図１
2007254035.tif 000002
【特許請求の範囲】
【請求項１】
エレベータ乗りかごの運転制御を行う主制御装置と、この主制御装置から運転制御に伴って送信されてくる音声データ及び表示データの何れか一方又は両方を受信し、前記エレベータ乗りかご内に設置される音声発生器，表示部へ出力するかご操作盤制御装置と前記主制御装置から運転制御に伴って送信されてくるドア開閉指令データを受信しドア開閉制御を行うドア制御装置とを有するかご制御装置を備えたエレベータの制御装置において、
前記かご操作盤制御装置は、かご機器用保守端末が着脱可能に接続される携帯型の保守端末インタフェースと、前記音声データを音声出力する音量データを格納する音量データ格納メモリと、前記主制御装置から送信されてくる音声出力データを受信して出力するとともに、前記かご機器用保守端末から前記保守端末インタフェースを通して入力される音量データに基づいて前記音量データ格納メモリの音量データを書き込み変更する伝送制御部と、この伝送制御部から出力される音声データを前記音量データ格納メモリの音量データに従って音量調整を行う音量調整手段と、この音量調整された音声データを出力する前記音声発生器とを備えたことを特徴とするエレベータの制御装置。
【請求項２】
請求項１に記載のエレベータの制御装置において、
前記ドア制御装置は、ドア開閉制御に関するデータを格納する装置固有データ格納メモリと、前記主制御装置から送信されてくるドア開閉指令データ及び前記かご機器用保守端末から前記保守端末インタフェース及び前記伝送制御部を通して送られてくるドア調整データを受信し出力するドア側伝送制御部と、このドア側伝送制御部から前記ドア開閉指令データを受信したときに前記装置固有データ格納メモリに格納されるドア開閉制御に関するデータを用いてドアモータを開閉駆動し、また前記ドア側伝送制御部からドア調整データを受信したときに前記装置固有データ格納メモリのドア開閉制御に関するデータを変更するか、或いは前記ドア調整データのもとに実際にドア開閉運転を行って得られるフィードバック信号から最適なデータを取得して前記装置固有データ格納メモリの該当ドア開閉制御に関するデータを変更するモータ制御処理部とを備えたことを特徴とするエレベータの制御装置。
【請求項３】
請求項１又は請求項２に記載のエレベータの制御装置において、
前記エレベータ乗りかごのかご操作盤に、前記かご機器用保守端末と前記保守端末インタフェースとを電気的に接続する接続用コネクタを設けたことを特徴とするエレベータの制御装置。
【請求項４】
請求項１ないし請求項３の何れか一項に記載のエレベータの制御装置において、
前記エレベータ乗りかごのかご操作盤にスイッチボックス内にかご内点検スイッチを設け、
前記かご操作盤制御装置の伝送制御部は、前記かご内点検スイッチが点検モードに設定されていないとき、前記かご機器用保守端末から前記保守端末インタフェースを通して入力される音量データやドア調整データを無視することを特徴とするエレベータの制御装置。
【請求項５】
請求項４に記載のエレベータの制御装置において、
前記かご操作盤制御装置内に点検モード設定を促す音声メッセージデータや表示メッセージデータが記憶され、前記かご操作盤制御装置の伝送制御部は、前記かご機器用保守端末から前記保守端末インタフェースを通して入力される音量データやドア調整データを無視したとき、前記音声メッセージデータや表示メッセージデータを読み出し、前記乗りかご内に設置される前記音声発生器や前記表示部から出力することを特徴とするエレベータの制御装置。
【請求項６】
エレベータ乗りかごの運転制御を行う主制御装置と、この主制御装置から運転制御に伴って送信されてくる音声データ及び表示データの何れか一方又は両方を受信し、前記エレベータ乗りかご内に設置される音声発生器，表示部から出力するかご操作盤制御装置と前記主制御装置から運転制御に伴って送信されてくるドア開閉指令データを受信しドア開閉制御を行うドア制御装置とを有するかご制御装置を備えたエレベータの制御装置において、
少なくとも前記かご操作盤制御装置において、かご操作盤に設けられたかご内点検スイッチの点検モード設定データと前記かご操作盤制御装置内の保守端末インタフェースに着脱可能に接続されるかご機器用保守端末から音量又ドアに関する調整モードデータとを受信したとき、かご内調整開始データを前記主制御装置に送信し、当該主制御装置に対して送信制御遮断を促すデータ調整準備処理ステップと、
前記かご操作盤制御装置において、前記主制御装置から送信制御遮断の確認データを受信したとき、前記かご機器用保守端末から前記保守端末インタフェースを通して入力される音量に関する調整データを用いて、既に記憶済みの音量データを変更する音量データ変更ステップと、
前記ドア制御装置において、前記かご機器用保守端末から前記保守端末インタフェースを介して前記かご操作盤制御装置からドアに関する調整データを受信したとき、この調整データを用いて、既に記憶済みのドア開閉制御に関するデータを変更処理するドアデータ変更ステップとを有することを特徴とするエレベータの制御装置のかご内機器データ調整方法。
【発明の詳細な説明】
【技術分野】
【０００１】
本発明は、エレベータの据付・工事時や保守メンテナンス時に乗りかご内でかご内機器の調整を行うエレベータの制御装置及びその制御装置のかご内機器データ調整方法に関する。
【背景技術】
【０００２】
従来、エレベータ乗りかご内のかご操作盤には、行先階ボタン、開閉ボタン及び施錠可能なスイッチカバーで覆われたスイッチボックスの他に、外部から携帯用保守装置が接続可能なコネクタが設けられている。スイッチボックス内には乗りかご内で手動運転操作を行うための操作スイッチが取付けられている。このコネクタは、伝送ケーブルを介してエレベータの運転制御を行う制御盤に接続され、かつ、スライドカバーにより覆われている。
【０００３】
エレベータの保守点検時、スライドカバーをスライドさせてコネクタを露見させ、当該コネクタに携帯用保守装置を接続する。引き続き、スイッチボックスを開けた後、操作スイッチを操作しながら手動運転操作を実施し、乗りかごを移動させて所望の階位置に停止させ、ドアの開閉回りの保守点検作業を行う（特許文献１）。
【０００４】
しかし、以上のような携帯用保守装置は、エレベータ乗りかごの運転制御，特に乗りかごの定位置停止後のドア開閉状態を含む運転制御に関する保守点検作業に使用されるものであり、それ以外の機器，例えば乗りかご内に設置される機器等のデータ調整処理には使用できない。
【０００５】
また、従来の他のエレベータの制御装置としては、主制御装置とかご制御装置とで構成され、主制御装置にはかご呼び及び乗場呼びの登録に応じてかご停止階の決定、この決定された停止階までの運転制御を行うＣＰＵで構成された運転制御処理部と、対象とするエレベータ乗りかご固有の機器仕様データを格納する物件固有データ格納メモリと、前記運転制御処理部に接続され、保守点検時に外部の携帯可能な保守ツール（情報端末）から乗りかご調整用信号を取り込むための保守端末インタフェースとが設けられている。
【０００６】
保守ツールは、必要時に保守インタフェースに接続し、調整員による操作のもとに、保守インタフェース及び運転制御処理部を通して物件固有データ格納メモリ内の対象物件固有の機器仕様データ（個別運転制御の実施有無等）を参照し、機器仕様データの書替えを行うことにより、運転制御処理部に搭載される運転制御ソフトウエアの標準化を図っている。
【０００７】
前記かご制御装置は、乗りかご上部などに設置され、ドア制御装置及びかご操作盤制御装置が内蔵されている。
【０００８】
ドア制御装置には、前記主制御装置の運転制御処理部と伝送ラインを介して接続され、ドア開閉指令データを受ける伝送制御部と、ドア機種に応じた設定データ、ドア位置データ等を含むドア開閉制御に関するデータを格納する装置固有データ格納メモリと、伝送制御部からドア開閉指令データを受け取り、装置固有データ格納メモリのドア開閉制御に関するデータを参照し、ドアモータに開閉駆動信号を送出するモータ制御処理部と、ドア開閉制御に関するデータを調整する操作部とが設けられている。
【０００９】
かご操作盤制御装置は、前記運転制御処理部と接続され、かつ、スピーカ及び表示部が接続されている。すなわち、かご操作盤制御装置は、運転制御処理部から送信されてくる音声出力データやかご位置表示データ、かご移動方向データを受信し、スピーカから運転制御に伴う音声データを出力し、表示部からかご位置やかご移動方向を表示する。なお、スピーカの前段には音量調整用ボリュームが接続されている。
【００１０】
さらに、かご操作盤には、特許文献１に記載するように、スイッチボックスが設けられ、スイッチボックス内のかご内点検スイッチを点検モードに設定し、エレベータ乗りかごの昇降速度を通常運転よりも遅い速度で移動させたり、行先階ボタンの呼びを禁止する機能が設けられている。
【特許文献１】特開平０７−２０６３０１号公報（図２参照）
【発明の開示】
【発明が解決しようとする課題】
【００１１】
しかし、以上のようなエレベータの制御装置では、次のような問題が指摘されている。
【００１２】
ドア制御装置内の装置固有データ格納メモリに格納されているドア機種の設定データやドア位置データなど，ドア開閉制御に関するデータを調整する場合、かご制御装置の筐体ドアを開けて内部のドア制御装置を露見させ、操作部を操作してドア開閉制御に関するデータの調整作業を行う必要があり、通常の使用状態と異なる状態でデータ調整作業をせざるを得ない問題がある。
【００１３】
通常，ドア制御装置は、かご制御装置筐内に収められてかご上部に搭載されているので、ドア機種に応じた設定データ、ドア位置データ等を含むドア開閉制御に関するデータを変更調整する場合、点検調整員がかご上部に乗り込み、ドア制御装置から装置固有データ格納メモリを抜き取り、操作部を介して当該装置固有データ格納メモリの格納データを調整する必要がある。この調整作業の一例を挙げると、実際に乗客が利用するかご内のドアの挙動や騒音状態に問題がないかを確認する場合、点検調整員がかご上部に乗ってデータの調整作業を行った後、かご内に移動して確認作業を行う必要がある。
【００１４】
しかし、１回の調整作業で最適なドアの挙動や騒音状態となることは稀であり、また各かご毎に微妙に挙動状態等が異なることから、複数回にわたってかご上部とかご内とを移動し、データ調整及び確認作業を繰り返す必要があり、手間がかかって作業が非常に煩雑化する問題がある。
【００１５】
また、近年、かご操作盤裏面の空間にドア制御装置を収納したエレベータがあるが、ドア制御装置の調整を行う都度、かご操作盤を外してドア制御装置のドア開閉制御に関するデータを変更する必要がある。その結果、データ変更後にかご操作盤の復旧時にドア制御装置に関係する配線ケーブルがかご操作盤本体に挟み込むことが多々あり、エレベータの故障の故障原因となる問題がある。
【００１６】
さらに、ドア制御装置のドア開閉制御に関するデータの変更の他、前述したかご操作盤制御装置に接続されるスピーカの音量を調整する場合についても、ドア開閉制御に関するデータの変更と同様の問題がある。つまり、従来はかご操作盤を外してかご操作盤制御装置に内装される音量調整用ボリュームを可変調整している。しかし、音量調整を行ってかご操作盤を復帰させた後、音量の確認を行うが、結果として音量が小さい場合には再度かご操作盤を外して再調整を行う必要があり、音量調整作業に時間と手間がかかる問題がある。
【００１７】
本発明は上記事情に鑑みてなされたもので、かご操作盤を外すことなく、かご内から容易にかご内機器のデータ調整を実現するエレベータの制御装置及びその制御装置のかご内機器データ調整方法を提供することを目的とする。
【課題を解決するための手段】
【００１８】
（１）  上記課題を解決するために、本発明に係るエレベータの制御装置は、エレベータ乗りかごの運転制御を行う主制御装置と、この主制御装置から運転制御に伴って送信されてくる音声データ及び表示データの何れか一方又は両方を受信し、前記エレベータ乗りかご内に設置される音声発生器，表示部へ出力するかご操作盤制御装置と前記主制御装置から運転制御に伴って送信されてくるドア開閉指令データを受信しドア開閉制御を行うドア制御装置とを有するかご制御装置を備えたエレベータの制御装置であって、
前記かご操作盤制御装置としては、かご機器用保守端末が着脱可能に接続される携帯型の保守端末インタフェースと、前記音声データを音声出力する音量データを格納する音量データ格納メモリと、前記主制御装置から送信されてくる音声出力データを受信して出力するとともに、前記かご機器用保守端末から前記保守端末インタフェースを通して入力される音量データに基づいて前記音量データ格納メモリの音量データを書き込み変更する伝送制御部と、この伝送制御部から出力される音声データを前記音量データ格納メモリの音量データに従って音量調整を行う音量調整手段と、この音量調整された音声データを出力する前記音声発生器とを備えた構成である。
【００１９】
また、本発明に係るエレベータの制御装置は、前述した構成要素に新たに、前記ドア制御装置としては、ドア開閉制御に関するデータを格納する装置固有データ格納メモリと、前記主制御装置から送信されてくるドア開閉指令データ及び前記かご機器用保守端末から前記保守端末インタフェース及び前記伝送制御部を通して送られてくるドア調整データを受信し出力するドア側伝送制御部と、このドア側伝送制御部から前記ドア開閉指令データを受信したときに前記装置固有データ格納メモリに格納されるドア開閉制御に関するデータを用いてドアモータを開閉駆動し、また前記ドア側伝送制御部からドア調整データを受信したときに前記装置固有データ格納メモリのドア開閉制御に関するデータを変更するか、或いは前記ドア調整データのもとに実際にドア開閉運転を行って得られるフィードバック信号から最適なデータを取得して前記装置固有データ格納メモリの該当ドア開閉制御に関するデータを変更するモータ制御処理部とを備えた構成である。
【００２０】
なお、エレベータ乗りかごのかご操作盤に、前記かご機器用保守端末と前記保守端末インタフェースとを電気的に接続する接続用コネクタを設けた構成を付加してもよい。
【００２１】
また、エレベータ乗りかごのかご操作盤に設けられたスイッチボックス内にかご内点検スイッチを設けた場合、前記かご操作盤制御装置の伝送制御部は、前記かご内点検スイッチが点検モードに設定されていないとき、前記かご機器用保守端末から前記保守端末インタフェースを通して入力される音量データやドア調整データを無視することにより、点検調整員の安全を確保できる。
【００２２】
さらに、かご操作盤制御装置内に点検モード設定を促す音声メッセージデータや表示メッセージデータが記憶され、前記かご操作盤制御装置の伝送制御部は、前記かご機器用保守端末から前記保守端末インタフェースを通して入力される音量データやドア調整データを無視したとき、前記音声メッセージデータや表示メッセージデータを読み出し、前記乗りかご内に設置される前記音声発生器や前記表示部から出力すれば、点検調整員に調整手順の誤りを通知でき、より点検調整員の安全を確保できる。
【００２３】
（２）  また、本発明は、エレベータ乗りかごの運転制御を行う主制御装置と、この主制御装置から運転制御に伴って送信されてくる音声データ及び表示データの何れか一方又は両方を受信し、前記エレベータ乗りかご内に設置される音声発生器，表示部から出力するかご操作盤制御装置と前記主制御装置から運転制御に伴って送信されてくるドア開閉指令データを受信しドア開閉制御を行うドア制御装置とを有するかご制御装置を備えたエレベータの制御装置において、
少なくとも前記かご操作盤制御装置において、かご操作盤に設けられたかご内点検スイッチの点検モード設定データと前記かご操作盤制御装置内の保守端末インタフェースに着脱可能に接続されるかご機器用保守端末から音量又ドアに関する調整モードデータとを受信したとき、かご内調整開始データを前記主制御装置に送信し、当該主制御装置に対して送信制御遮断を促すデータ調整準備処理ステップと、前記かご操作盤制御装置において、前記主制御装置から送信制御遮断の確認データを受信したとき、前記かご機器用保守端末から前記保守端末インタフェースを通して入力される音量に関する調整データを用いて、既に記憶済みの音量データを変更する音量データ変更ステップと、前記ドア制御装置において、前記かご機器用保守端末から前記保守端末インタフェースを介して前記かご操作盤制御装置からドアに関する調整データを受信したとき、この調整データを用いて、既に記憶済みのドア開閉制御に関するデータを変更処理するドアデータ変更ステップとを有するエレベータの制御装置のかご内機器データ調整方法である。
【発明の効果】
【００２４】
本発明によれば、かご操作盤を外すことなく、乗りかご内から容易にかご内機器のデータ調整を実現できるエレベータの制御装置及びその制御装置のかご内機器データ調整方法を提供できる。
【発明を実施するための最良の形態】
【００２５】
以下、本発明の実施形態について図面を参照して説明する。  
図１は本発明に係るエレベータの制御装置の一実施の形態を示す構成図である。  
エレベータの制御装置は、対象物件（エレベータ乗りかご）の運転制御を行う主制御装置１、かご制御装置２と、かご機器用保守端末３とで構成されている。
【００２６】
主制御装置１は、ＣＰＵで構成された運転制御処理部１１と、物件固有データ格納メモリ１２と、保守インタフェース１３とが設けられている。保守端末インタフェース１３には必要に応じて携帯可能な保守ツール（情報端末）１４が着脱自在に接続される。
【００２７】
運転制御処理部１１は、ある程度仕様頻度の高い機器仕様に対応可能な運転制御用のソフトウエアが搭載され、かご制御装置２やエレベータ昇降路に設置される各種の電気機器の信号を検出することにより、信号検出時のエレベータ乗りかごの状態を判断し、例えばかご呼びや乗場呼びの検出に応じたかご停止階の決定処理、この決定された停止階への対象物件への運転制御、かご位置の表示指令等をかご制御装置２に送信するなどの演算処理を実行する。なお、運転制御処理部１１は、以上の諸機能を実現するために、例えば１６ビットから３２ビットの演算を行うＣＰＵが使用される。
【００２８】
物件固有データ格納メモリ１２には、対象物件固有の機器仕様データである例えば個別運転制御の実施有無等のデータが格納される。よって、運転制御処理部１１は、運転制御を行うに際し、物件固有データ格納メモリ１２に格納される物件固有の機器仕様データを参照し、個別制御の実施有無を判断しながら運転制御を行うことにより、前述したソフトウエアの標準化を図っている。
【００２９】
物件固有データ格納メモリ１２としては、電気的に消去可能な不揮発性メモリが使用されるが、その代表的なメモリ素子としては例えばＥ２ＰＲＯＭが用いられる。また、物件固有データ格納メモリ１２としては、主制御装置１の寿命や異常時に交換しなければならないこと、膨大なデータ量が格納されていること等から、交換時等に迅速なデータ移動が必要になる。そのためには、物件固有データ格納メモリ１２は主制御装置１に挿脱可能に実装することが望ましい。
【００３０】
保守端末インタフェース１３は、運転制御処理部１１と保守ツール１４との間でやり取りするデータを所定のデータ形式に変換して受け渡しを行う機能を持っている。
【００３１】
保守端末インタフェース１３には必要に応じて着脱可能に保守ツール１４が接続される。この保守ツール１４は持ち運び可能な携帯の情報端末が使用される。保守ツール１４は、保守端末インタフェース１３に接続し、調整点検員の操作のもとに、保守端末インタフェース１３及び運転制御処理部１１を通して物件固有データ格納メモリ１２から対象物件固有の機器仕様データ等を取り出して参照し、機器仕様データの追加・変更を行う機能を持っている。
【００３２】
前記かご制御装置２は、例えばかご操作盤裏面の空間を利用して収納され、ドア制御装置４と、かご操作盤制御装置５とで構成される。
【００３３】
ドア制御装置４は、かごドアの開閉制御を行う機能を備え、具体的には、ＣＰＵで構成された伝送制御部４１と、同じくＣＰＵで構成されたモータ制御処理部４２と、装置固有データ格納メモリ４３とで構成され、さらにモータ制御処理部４２には直流モータ、永久磁石動機式モータなどのドアモータ４４及びパルスジェネレータ４５が接続されている。このパルスジェネレータ４５は、ドアモータ４４の回転数に応じた数のパルスを発生する機能を持っている。
【００３４】
伝送制御部４１は、主制御装置１との間でデータ通信を行うものであって、主制御装置１の運転制御処理部１１から受信されるドア開閉指令データを取り込んでモータ制御処理部４２に渡す機能と、当該モータ制御処理部４２から受け取ったデータを運転制御処理部１１に渡す機能とを備えている。伝送制御部４１は、一般に８ビットから１６ビットの演算を行うＣＰＵが使用される。
【００３５】
モータ制御処理部４２は、主制御装置１から伝送制御部４１を介してドア開閉指令データを受け取り、かつ、パルスジェネレータ４５から出力されるパルス信号を検出することによってドア位置を判断し、ドア位置に応じたモータ駆動制御信号を演算出力し、ドアモータ４４を開閉駆動することにより、最適なドア開閉制御を実現している。モータ制御処理部４２には、一般に１６ビットから３２ビットの演算を行うＣＰＵが使用される。
【００３６】
装置固有データ格納メモリ４３には、ドア機種に応じた設定データ、ドア位置データドアモータ４４に関する保護設定データや補正データ、パルスジェネレータ４５から検出されるパルス数であるドア位置データなど、ドア開閉制御に関する一連のデータが格納されている。モータ制御処理部４２は、装置固有データ格納メモリ４３に格納されるデータを利用し、ドア機種に応じた制御方法の選択、ドア制御異常の判定、補正データに応じたドアモータ４４の最適制御、ドア位置に応じたドアモータ４４の最適制御を実現する。
【００３７】
なお、装置固有データ格納メモリ４３には一般に電気的に消去可能な不揮発性メモリが使用され、代表的なメモリ素子としては例えばＥ２ＰＲＯＭが用いられる。また、物件固有データ格納メモリ１２としては、前述した物件固有データ格納メモリ１２と同様の理由から、ドア制御装置４に対して挿抜可能に実装することが望ましい。
【００３８】
前述したかご操作盤制御装置５は、運転制御処理部１１及びドア制御装置４の伝送制御部４１の間でデータのやり取りを行う伝送制御部５１と、保守端末インタフェース５２と、音量データ格納メモリ５３と、音声合成回路５４と、音声増幅回路５５とが設けられ、当該音声増幅回路５５の出力端にスピーカなどの音声発生器５６が接続されている。さらに、伝送制御部５１と音声増幅回路５５との間には音声調整指令回路５７が接続されている。
【００３９】
前記保守端末インタフェース５２には携帯可能なかご機器用保守端末３が着脱自在に接続される。
【００４０】
かご機器用保守端末３は乗りかごに設置される各種機器の調整データを入力する機能を有する。保守端末インタフェース５２は、かご操作盤（図示せず）のスイッチボックス６に取り付けられたコネクタ６１を通してかご機器用保守端末３から入力される各種機器の調整データを所望のデータ形式に変換して伝送制御部５１に渡す。伝送制御部５１は、かご機器用保守端末３から入力される各種機器の調整データを判断し、音量調整に関する音量データであれば、当該音量データを音量データ格納メモリ５３に格納し、かつ、音量調整指令回路５７に対して抵抗値等を可変設定する。また、ドア調整データであれば、ドア制御装置４の伝送制御部４１に伝送し、モータ制御処理部４２を介して装置固有データ格納メモリ４３に調整設定する。
【００４１】
なお、音量データ格納メモリ５３には電気的に消去可能な不揮発性メモリが使用され、データ量が小さいことから、直列通信の１ＫＢ程度のメモリが使用される。
【００４２】
音声調整指令回路５７は、伝送制御部５１から音量データ格納メモリ５３に設定される音量調整ディジタルデータを受け取って抵抗値を可変させる電子ボリュームなどを使用することにより、音声増幅回路５５の信号増幅値を可変し音量の変更調整を行う。
【００４３】
従って、かご操作盤制御装置５としては、伝送制御部５１が運転制御処理部１１からの音声データであるディジタル音声データを受信すると、音声合成回路５４に送出する。音声合成回路５４はディジタル音声データに対応したアナログ音声データに変換し、音声増幅回路５５により増幅するが、このとき音量調整指令回路５７で規定される抵抗値に基づく信号増幅値に従って音量が調整されて音声発生器５６から出力することにより、かご内の利用者に音声案内を報知する。
【００４４】
また、かご操作盤制御装置５の伝送制御部５１にはかご操作盤などに設置される表示部５８が接続されている。また、伝送制御部５１には、かご操作盤のスイッチボックス６に収納されるかご機器用保守端末３の接続用コネクタ６１、かご内点検スイッチ６２及びかご操作盤に取り付けられている例えばドア開閉・行先階ボタン７が接続されている。
【００４５】
次に、以上のように構成されたエレベータの制御装置の動作及び本発明に係るエレベータの制御装置のかご内機器データ調整方法について図２ないし図４を参照して説明する。
【００４６】
（１）  データ調整準備処理について。
【００４７】
データ調整に先立ち、かご操作盤のスイッチボックス６を開け、スイッチボックス６内のコネクタ６１にかご機器用保守端末３を着脱可能に接続する。この状態において、かご内点検スイッチ６２を点検モードに設定し、またかご機器用保守端末３から音量調整モードデータ又はドア調整モードデータを入力し、かご操作盤制御装置５の保守端末インタフェース５２を通して伝送制御部５１に送信する。
【００４８】
かご操作盤制御装置５の伝送制御部５１は、図２に示すように一定周期ごとに点検モードデータを受信したか否かを判断し（Ｓ１）、点検モードデータを受信していないと判断されたときには通常運転を継続し（Ｓ２）、一定周期を経過すると（Ｓ３）、ステップＳ１に移行し、引き続き、点検モードデータの受信有無を判断する。
【００４９】
伝送制御部５１は、ステップＳ１にて点検モードデータを受信したと判断されたとき、かご機器用保守端末３から送信されてくる音量調整モードデータ又はドア調整モードデータを検出し（Ｓ４）、適宜なメモリに音量調整モードデータ又はドア調整モードデータの受信を意味するフラグを設定した後（Ｓ５）、かご内調整開始データを主制御装置１の運転制御処理部１１に送信する（Ｓ６）。
【００５０】
運転制御処理部１１は、かご内調整開始データを受信すると、伝送制御部４１と伝送制御部５１とに送信切り離しデータを送信する。各伝送制御部４１，５１は、送信切り離しデータを受信すると（Ｓ７）、運転制御処理部１１に確認データを送信する（Ｓ８）。
【００５１】
運転制御処理部１１は、確認データを受信すると、自身の送信制御機能の切り離しを実行し、データ受信のみとする。これは、かご内機器のデータ調整作業を実施するために、主制御装置１からの通信データによる誤動作を避けるために行う手続きである。
【００５２】
これにより、データ調整準備が完了する。
【００５３】
なお、伝送制御部５１は、かご内点検スイッチ６２が点検モードに設定されていない場合、かご機器用保守端末３から音量調整モードデータ又はドア調整モードデータを検出しても無視し、前述したように対象物件の通常運転を継続する。その理由は、通常運転状態でかご機器のデータ調整処理を行った場合、想定外の運転状態が発生して点検調整員に危険を与えかねないので、点検調整員の安全を確保する意味から調整モードデータを無視するものである。
【００５４】
また、伝送制御部５１は、音量データ格納メモリ５３等に音声メッセージデータや表示メッセージデータを格納しておき、かご内点検スイッチ６２が点検モードに設定されていないために音量調整モードデータ又はドア調整モードデータの検出を無視した場合、音量データ格納メモリ５３等から音声メッセージデータを読み出し、音声発生器５６から「点検スイッチを点検モードに設定してください」を音声出力するとか、或いは音量データ格納メモリ５３等から表示メッセージデータを読み出し、表示部５８に「点検スイッチを点検モードに設定してください」を表示することにより、点検調整員に対して点検スイッチの操作誤りを報知することもできる。
【００５５】
（２）  音量調整処理について。
【００５６】
以上のようにして図２に示すステップＳ８にて確認データを送信した後、伝送制御部５１は図３に示すように前述したフラグから音量調整モードかドア調整モードかを判断する（Ｓ１１，Ｓ１２）。伝送制御部５１は、音量調整モードであると判断したとき、かご機器用保守端末３から保守端末インタフェース５２を通して入力され音量調整命令データを受信したか否かを判断する（Ｓ１３）。ここで、伝送制御部５１は、かご機器用保守端末３から音量調整命令データが送信されている場合、音量調整命令データを受信したと判断し、音量データの受信待ち状態する（Ｓ１４）。伝送制御部５１は、かご機器用保守端末３から音量データを受信すると、音量データ格納メモリ５３に保存し（Ｓ１５）、ディジタル音量データを出力し、音量調整指令回路５７である電子ボリュームの抵抗値を可変する（Ｓ１６）。これにより、音声増幅回路５５の信号増幅値が変更され、当該音声増幅回路５５から出力する音量が変更される。
【００５７】
よって、外部のかご機器用保守端末３を用いて、かご内機器である音声発生器５６の音量データの調整作業を実現できる。
【００５８】
（３）  ドア調整処理について。
【００５９】
伝送制御部５１は、前述したフラグからドア調整モードであると判断したとき（Ｓ１２）、図３に示すようにかご機器用保守端末３から保守端末インタフェース５２を介してドア調整命令データを受信したか否かを判断する（Ｓ１７）。ここで、伝送制御部５１は、かご機器用保守端末３からドア調整命令データが送信されている場合、ドア調整命令データを受信したと判断し、受信したドア調整命令データをドア制御装置４の伝送制御部４１に送信する（Ｓ１８）。しかる後、ドア調整データの受信待ち状態とする（Ｓ１９）。伝送制御部５１は、かご機器用保守端末３からドア調整データを受信すると、ドア制御装置４の伝送制御部４１に送信する（Ｓ２０）。
【００６０】
ドア制御装置４の伝送制御部４１は、図２に示すステップＳ８によって確認データを送信した後、図４に示すようかご操作盤制御装置５からドア調整命令データを受けたか否かを判断し（Ｓ２１）、未だ受けていない場合には所定時間経過するまで受信待機状態とする（Ｓ２２）。ここで、伝送制御部４１は、かご操作盤制御装置５からドア調整命令データを受信すると、ドア調整データの受信待ち状態する（Ｓ２３）。
【００６１】
伝送制御部４１は、かご機器用保守端末３から保守端末インタフェース５２及び伝送制御部５１を介してドア調整データを受信すると、モータ制御処理部４２に送信する（Ｓ２４）。
【００６２】
モータ制御処理部４２は、一定周期ごとにドア調整データを受信したか否かを判断している（Ｓ３１）。モータ制御処理部４２は、ドア調整データを受信すると、当該ドア調整データが装置固有データ格納メモリ４３に保存するデータか否かを判断する（Ｓ３２）。ここで、ドア調整データとしては、例えばドア仕様設定データ、ドア位置データ補正命令データ、モータ電流値補正命令データその他必要な諸々のデータがある。
【００６３】
そこで、モータ制御処理部４２は、ステップＳ３２においてドア調整データの種類を判断し、例えばドア仕様設定データであれば、装置固有データ格納メモリ４３に書き込むことによってデータ変更を行う（Ｓ３３）。
【００６４】
モータ制御処理部４２は、例えばドア位置データ補正命令データ、モータ電流値補正命令データであると判断した場合、これらデータを適宜なメモリに一次記憶する（Ｓ３４）。そして、モータ制御処理部４２は、ドア位置データ補正命令データと、当該ドア位置データ補正命令データのもとにドア開閉運転中のパルスジェネレータ４６からの検出信号とに基づいて演算処理を実行し（Ｓ３５）、演算結果の補正データを取り出し、この補正データを考慮したドア位置データ補正命令データを装置固有データ格納メモリ４３に書き込むことによってデータ変更を行う（Ｓ３３）。また、モータ制御処理部４２は、モータ電流値補正命令データと、当該モータ電流値補正命令データのもとにドア開閉運転中のモータ駆動電流とを比較し、同様に演算処理を実行し、この演算結果から得られた補正データを取り出し、この補正データを考慮したモータ電流値補正命令データを装置固有データ格納メモリ４３に書き込むことによってデータ変更を行う（Ｓ３３）。
【００６５】
よって、外部のかご機器用保守端末３を用いて、かご内機器であるドアの調整作業を実現できる。
【００６６】
（４）  以上のようにしてかご内機器の調整作業を完了した後、かご内スイッチ６２を通常モードに変更すると、伝送制御部５１は、通常モードデータをドア制御装置４の伝送制御部４１と主制御装置１の運転制御処理部１１に送信する。これら伝送制御部４１，運転制御処理部１１は、通常モードデータを受信すると、通常状態に復帰する。すなわち、伝送制御部４１は運転制御処理部１１からのデータ受信待ちを行い、運転制御処理部１１は送信制御遮断状態を解除し、伝送制御部４１，５１との間のデータ送受信可能状態に復帰する。
【００６７】
従って、以上のような実施の形態によれば、かご操作盤制御装置５に伝送制御部５１及びかご機器用保守端末３が着脱可能に接続される携帯型の保守端末インタフェース５２を設け、伝送制御部５１がかご機器用保守端末３から保守端末インタフェース５２を通して音量データを受け取ると、この音量データに基づいて音量データ格納メモリ５３に既に格納されている音量データを変更するので、容易にかご内機器である音声発生器５６の音量調整を行うことができる。
【００６８】
また、ドア制御装置４としては、かご操作盤制御装置５とデータの受け渡しを行う伝送制御部４１と、ドア開閉制御に関するデータを格納する装置固有データ格納メモリ４３と、モータ制御処理部４２とを設け、モータ制御処理部４２は、伝送制御部４１から受け取るデータに基づいてドアモータ４４を開閉駆動したり、ドア調整データに基づいて装置固有データ格納メモリ４３に格納されるドア開閉制御に関するデータの変更処理を行うので、かご内機器である装置固有データメモリ４３のデータを容易に調整できる。
【００６９】
しかも、保守端末インタフェース５２に接続されるコネクタ６１を例えばかご操作盤のスイッチボックス６に設けておけば、乗りかごの運転制御を司る主制御装置１を介することなく、またかご操作盤を外すことなく、かご内から容易にかご内機器データの調整を実現することができる。
【００７０】
さらに、エレベータ乗りかごのかご操作盤に設けられたスイッチボックス内にかご内点検スイッチ６２を設け、かご内点検スイッチ６２が点検モードに設定されていないとき、かご機器用保守端末３から保守端末インタフェース５２を通して入力される音量データやドア調整データを無視するようにすれば、点検調整員に調整手順の誤りによって生じるトラブルを未然に回避できる。
【００７１】
さらに、かご操作盤制御装置５内に点検モード設定を促す音声メッセージデータや表示メッセージデータを記憶し、前述したように入力される音量データやドア調整データを無視したとき、点検モード設定を促す音声メッセージデータや表示メッセージデータを出力するようにすれば、点検調整員に調整手順の誤りを報知でき、点検調整員の安全を確保できる。
【００７２】
なお、かご操作盤のスイッチボックス６内にコネクタ６１を設けたが、このコネクタ６１はかご操作盤の適宜なスペースを利用して取り付けてもよい。
【００７３】
その他、本発明は、上記実施の形態に限定されるものでなく、その要旨を逸脱しない範囲で種々変形して実施できる。
【図面の簡単な説明】
【００７４】
【図１】本発明に係るエレベータの制御装置の一実施の形態を示す構成図。
【図２】かご内機器のデータ調整前のデータ調整準備処理を説明するフロー図。
【図３】かご内機器のデータ調整処理を説明するフロー図。
【図４】かご内機器のデータ調整処理及び現状復帰処理を説明するフロー図。
【符号の説明】
【００７５】
１…主制御装置、２…かご制御装置、３…かご機器用保守端末、４…ドア制御装置、５…かご操作盤制御装置、６…スイッチボックス、１１…運転制御処理部、１２…物件固有データ格納メモリ、１３…保守端末インタフェース、１４…保守端末、４１…伝送制御部、４２…モータ制御処理部、４３…操作固有データ格納メモリ、４４…ドアモータ、４５…パルスジェネレータ、５１…伝送制御部、５２…保守端末インタフェース、５３…音量データ格納メモリ、５４…音声合成回路、５５…音声増幅回路、５６…音声発生器、５７…音量調整指令回路、５８…表示部、６１…コネクタ、６２…かご内点検スイッチ。
【図１】
2007254035.tif 000003
【図２】
2007254035.tif 000004
【図３】
2007254035.tif 000005
【図４】
2007254035.tif 000006